(57)【特許請求の範囲】
【請求項１】
長手方向の両端にそれぞれ異なる電極端子を有する棒状の複数の電池を互いに異なる電極端子同士を接触させて直列に収納し、かつ電池の長手方向と交差する方向に開口する開口部を有する収納部と、前記収納部の開口部を開放可能に覆う蓋とを有する電池収納部材において、
隣り合う複数の電池の前記異なる電極端子の接触部分を含むその周辺部分を覆って異物の侵入を防止する異物侵入防止部材を前記開口部に備えることを特徴とする電池収納部材。
【請求項２】
前記異物侵入防止部材は、前記電池に対向する面が電池を前記収納部内に離脱防止可能に保持することを特徴とする請求項１に記載の電池収納部材。
【請求項３】
前記異物侵入防止部材の前記電池と対向する面は、前記収納部に収納された電池との間に隙間を隔てて配置されていることを特徴とする請求項１に記載の電池収納部材。
【請求項４】
前記異物侵入防止部材は、前記収納部を備えた電池収納部材本体と一体に形成されていることを特徴とする請求項１に記載の電池収納部材。
【請求項５】
前記異物侵入防止部材は、弾性体で構成されていることを特徴とする請求項１に記載の電池収納部材。
【請求項６】
前記異物侵入防止部材は、電池収納部材本体に対して着脱可能に構成されていることを特徴とする請求項１に記載の電池収納部材。
【請求項７】
前記異物侵入防止部材は、基端部が前記電池収納部材本体に支持され、かつ開放端部が前記基端部を中心に開閉可能に構成されていることを特徴とする請求項１に記載の電池収納部材。
【請求項８】
前記収納部に複数列に渡って前記棒状の複数の電池を直列に収納し、前記異物侵入防止部材は、前記複数列の各隣り合う複数の電池の前記異なる電極端子の接触部分を含むその周辺部分を覆うことを特徴とする請求項１乃至７の何れかに記載の電池収納部材。
【請求項９】
近接する複数の前記異物侵入防止部材同士を互いに連結したことを特徴とする請求項８に記載の電池収納部材。
【発明の詳細な説明】
【技術分野】
【０００１】
本発明は、電池を複数個直列に収納する電池収納部材に関する。
【背景技術】
【０００２】
従来、例えば、小型の電子機器においては乾電池を電源として用いることが多い。通常、乾電池１本は１．５Ｖの出力電圧を有している。そのため、その電池を使用する電子機器の仕様に合わせて、複数の電池を直列に接続して使用することはよく知られているところである。例えば、単２型の乾電池を４本使用する電子機器の電池収納部の例としては、特許文献１の図１６に示すものが知られている。そこでは、４本の乾電池が直列に接続されているのであるが、２個宛が直列配置された列が隣り合って並んでいる。また、同図、紙面手前側の列左側と後側の列右側の各乾電池の上部でかつ電池収納部の開口部に乾電池の脱落防止用の係止部材が各々設けてある。【０００３】
【特許文献１】特開２０００−２９３１１２号公報
【発明の開示】
【発明が解決しようとする課題】
【０００４】
しかしながら、電池を使用する電子機器が例えば子供が使う玩具等であった場合、電池の異なる電極同士の接点付近に対して不意に何か異物を突っ込んでしまうおそれがある。その異物が絶縁性の材料からできている場合は、異なる電池間の接続を妨げて電子機器に対して電気の供給が一時的に不可能となり、その間電子機器は使用できなくなるおそれがある。また、異物が導電性の材料からできている場合は、本来の接続すべき電池の端子でない端子同士を接続してしまったり、電池の端子と基板上の回路とを接続してしまったりする短絡のおそれがある。【０００５】
本発明は、上述した問題点を解決するためになされたものであり、電池の異なる電極同士の接点付近に異物を挿入しにくい構造とすることで電子機器の故障を未然に防ぐことを目的とする。
【課題を解決するための手段】
【０００６】
この目的を達成するために、本発明の電池収納部材は、長手方向の両端にそれぞれ異なる電極端子を有する棒状の複数の電池を互いに異なる電極端子同士を接触させて直列に収納し、かつ電池の長手方向と交差する方向に開口する開口部を有する収納部と、前記収納部の開口部を開放可能に覆う蓋とを有する電池収納部材において、隣り合う複数の電池の前記異なる電極端子の接触部分を含むその周辺部分を覆って異物の侵入を防止する異物侵入防止部材を前記開口部に備える。【０００７】
このように構成された本発明の電池収納部材においては、長手方向の両端にそれぞれ異なる電極端子を有する棒状の複数の電池は、互いに異なる電極端子同士を接触させて直列に収納されてもよい。また、この電池収納部材の収納部は電池の長手方向と交差する方向に開口した開口部と、その開口部を開放可能に覆う蓋とを有してもよい。さらに、隣り合う複数の電池の前記異なる電極端子の接触部分を含むその周辺部分を覆って異物の侵入を防止する異物侵入防止部材を前記開口部に備えてもよい。それにより、前記蓋を開放した時に、電池の前記異なる電極端子の接触部分付近に異物を挿入できないようにすることができる。なお、前記収納部の開口部を開放可能に覆う蓋は、開口部のみを覆う蓋に留まらない。例えば、本電池収納部材を有する電子機器が小型の電子機器である時には、上下２つのカバー部材の一方自体が蓋となっているものがあるが、そのようなものも含む。【０００８】
また、本発明の電池収納部材は、前記異物侵入防止部材は、前記電池に対向する面が電池を前記収納部内に離脱防止可能に保持してもよい。【０００９】
このように構成された本発明の電池収納部材においては、前記蓋を開放した時にあっても、電池が勝手に脱落することがない。【００１０】
また、本発明の電池収納部材は、前記異物侵入防止部材の前記電池と対向する面が、前記収納部に収納された電池との間に隙間を隔てて配置されてもよい。【００１１】
このように構成された本発明の電池収納部材においては、前記開口部から電池を着脱するにあたり、異物侵入防止部材が前記開口部に固定されたものである場合、前記開口部に着脱可能であって装着された状態である場合、または開閉可能であって閉じた状態である場合などでもスムーズな電池の着脱が可能である。【００１２】
また、本発明の電池収納部材は、前記異物侵入防止部材が、前記収納部を備えた電池収納部材本体と一体に形成されてもよい。【００１３】
また、本発明の電池収納部材は、前記異物侵入防止部材が、弾性体で構成されてもよい。【００１４】
このように構成された本発明の電池収納部材においては、前記開口部から電池を着脱するにあたり、異物侵入防止部材が前記開口部に固定されたものである場合、前記開口部に着脱可能であって装着された状態である場合、または開閉可能であって閉じた状態である場合などでも、異物侵入防止部材を撓ませることでスムーズな電池の着脱が可能である。また異物侵入防止部材は通常変形することがないので、電池の脱落を防止することもできる。【００１５】
また、本発明の電池収納部材は、前記異物侵入防止部材が、電池収納部材本体に対して着脱可能に構成されてもよい。【００１６】
このように構成された本発明の電池収納部材においては、前記開口部から電池を着脱するにあたり、異物侵入防止部材を外した状態で行えることでスムーズな電池の着脱ができる。【００１７】
また、本発明の電池収納部材は、基端部が前記電池収納部材本体に支持され、かつ開放端部が前記基端部を中心に開閉可能に構成されてもよい。【００１８】
このように構成された本発明の電池収納部材においては、前記開口部から電池を着脱するにあたり、異物侵入防止部材を開放した状態で行えることでスムーズな電池の着脱ができる。【００１９】
また、本発明の電池収納部材は、前記収納部に複数列に渡って前記棒状の複数の電池を直列に収納し、前記異物侵入防止部材は、前記複数列の各隣り合う複数の電池の前記異なる電極端子の接触部分を含むその周辺部分を覆ってもよい。【００２０】
このように構成された本発明の電池収納部材においては、前記棒状の複数の電池は前記収納部に複数列に渡って直列に収納される。前記複数列の各隣り合う電池の前記異なる電極端子の接触部分は複数ある。その時、それら複数の接触部分を含むその周辺部分を覆うように異物侵入防止部材は設けられている。これにより、異物の侵入をより確実に防止できる。【００２１】
また、本発明の電池収納部材は、近接する複数の前記異物侵入防止部材同士を互いに連結してもよい。【００２２】
このように構成された本発明の電池収納部材においては、近接する複数の前記異物侵入防止部材同士を互いに連結する部分が増えることにより、より確実に異物の侵入を防止できる。また、異物侵入防止部材が着脱可能である場合、異物侵入防止部材の１回の着脱動作で、より多くの電池の着脱が可能となる。また、異物侵入防止部材が開閉可能である場合、異物侵入防止部材の１回の開閉動作で、より多くの電池の着脱が可能となる。総じて電池の着脱動作がよりスムーズになる。
【発明の効果】
【００２３】
以上説明したことから明らかなように、本発明の電池収納部材は、異物侵入防止部材が複数の電池の異なる電極端子同士の接触部分付近に異物が侵入することを防止することで、短絡等によって生じる本電池収納部材を備えた電子機器の故障を防止できる。前記蓋が前記開口部よりも十分大きいものである時、前記開口部のみを覆う蓋を別に設けるのに比べて、少ない材料で上記の効果を上げることができ、コストを抑えられる。【００２４】
また、本発明の電池収納部材は、電池の脱落を防止することで、例えば乳幼児が本電池収納部材を備えた玩具としての電子機器を多少乱暴に扱って衝撃を加えても電池が不意に脱落するようなことがないと共に、電源供給の停止やメモリ内容を失う等のトラブルを未然に防止することができる。【００２５】
また、本発明の電池収納部材は、前記開口部から電池の着脱を行おうとした場合、通常、異物侵入防止部材が邪魔になるが、前記隙間を設けたことにより、異物侵入防止部材が開口部に固定されたものである場合は、異物侵入防止部材の構成を複雑にすることなく、かつ少ない部品点数でスムーズな電池の着脱を実現できる。また、異物侵入防止部材が、前記開口部に着脱可能であったり、開閉可能であったりした場合などには、異物侵入防止部材が装着または閉じた状態にあっても電池の着脱が可能であるので電池交換に掛かる作業が簡略化できる。【００２６】
また、本発明の電池収納部材は、開口部周辺の部材と一体に成型されていることで、製造工程において作業を簡略化できる。また異物侵入防止部材の剛性を高めることができ衝撃が加わった時に破損しにくい。【００２７】
また、本発明の電池収納部材は、前記開口部からの電池の着脱が可能であり、また電池の脱落の防止にも効果がある。【００２８】
また、本発明の電池収納部材は、着脱可能なためスムーズな電池の着脱ができる。【００２９】
また、本発明の電池収納部材は、開閉可能なためスムーズな電池の着脱ができる。【００３０】
また、本発明の電池収納部材は、特定の列に対して、隣り合う複数の電池の前記異なる電極端子の接触部分を含むその周辺部分を覆うのに比べてより確実に異物の侵入を防止できる。【００３１】
また、本発明の電池収納部材は、部品点数が少なくなり製造工程において作業を簡略化できる。
【発明を実施するための最良の形態】
【００３２】
以下、本発明の電池収納部材をテープ印字装置に適用した実施の形態について図面を参照して説明する。【００３３】
図１乃至図３は、それぞれテープ印字装置１の平面図、下面図、図２のＶ−Ｖ線における拡大断面図である。図１乃至図３に示すように、テープ印字装置１は、印字機構等（図示せず）を支持する基枠２と、その基枠２の上面部全体を覆うようにその基枠２の上面に取り付けられる合成樹脂製の上カバー４と、基枠２の下面部全体を覆うようにその基枠２の下面に着脱可能に取り付けられる合成樹脂製の下カバー３とから構成されている。【００３４】
図１に示すように、基枠２の上面後側の略中央部には、左右方向に横長の液晶表示装置６が配設され、上カバー４に設けられた窓穴を通して外部から目視できるようになっている。また基枠２の液晶表示装置６の左側側面部には、カットレバー７が設けられ、基枠側面の開口部（図示せず）を通じて外部に突出している。このカットレバー７を内側に押すことにより印字されて後側側面部に形成されるテープ排出口８（図２参照）から排出された感熱テープを図示しないカッターにて切断することができる。【００３５】
基枠２の上面手前側には、文書データからなるテキストを作成するための文字入力キー１２、スペースを入力するスペースキー１３、テキストの印字を指令する印字キー１５、文字等のキャラクタを表示する液晶表示装置６上でカーソルを左右に移動させるカーソルキー１６、電源をオン・オフする電源ボタン１７、改行指令や各種処理の実行、選択を指令するリターンキー１８等が配置されている。前記各種のキーのキートップは、上カバー４に設けられた開口部を通じて外部に突出している。【００３６】
また、各文字入力キー１２は、それらを選択的に押下する毎に複数の英数字を切り替えて入力できるように構成されている。例えば、操作される文字入力キー１２の上面部にそれぞれ「ａ」、「ｂ」、「ｃ」、「２」の文字が表記されている場合には、この文字入力キー１２を記載の順序で押下する毎に液晶表示装置６上のカーソル位置に「ａ」、「ｂ」、「ｃ」、「２」の文字が順次表示され、リターンキー１８を押下することによって入力文字が確定される。また、切り替えキー１４を押下する毎に液晶表示装置６上のカーソル位置に表示される英小文字「ａ」と英大文字「Ａ」、英小文字「ｂ」と英大文字「Ｂ」、英小文字「ｃ」と英大文字「Ｃ」が切り替えて表示され、リターンキー１８を押下することによって確定される。【００３７】
また、図３に示すように、基枠２の下面には、複数（４本）の乾電池２８が収納できる電池収納部２９が手前側に寄せて形成されている。また、基枠２と下カバー３との間にできた空間でかつ後側寄りに、印刷される長尺状の感熱テープが収められたテープカセット２６が収納されるカセット収納部２７が設けられている。後側の乾電池２８の下方（図３における紙面右側）には、後側の乾電池２８の一部を下から覆う状態にテープカセット２６が配置される。【００３８】
また、図４に示すように、本実施形態では４本の乾電池２８が２本ずつ直列に収納されている。直列に接続された接点とその接点回りの乾電池付近を覆い、接点付近に異物が挿入されるのを防ぐ異物侵入防止部材３４が接点毎に設けられている。電池収納部２９の左側（図４における紙面右側）には、下面視半円形の凹部２９Ａが電池収納部２９に連通するように形成され、電池の取外しに際して手指を入れることができるようになっている。異物侵入防止部材３４は、電池収納部２９に収納された乾電池２８の外周面に接近配置され、それによって乾電池２８の脱落を防止する機能も果たす。【００３９】
図３に戻って説明をする。下カバー３の裏側には各乾電池２８及び異物侵入防止部材３４とに当接乃至接近して、テープ印字装置１に衝撃が加えられた時に乾電池２８の脱落を防止する複数のリブ３２、３３が設けられている。また、上カバー４との間の空間を利用して基枠２の上面には、制御回路部を支持する制御基板、ギヤー列、このギヤー列を介してテープ送り用のプラテンローラを回転駆動する駆動モータ等（いずれも図示せず）が設けられている。【００４０】
また、テープ印字装置１内には、プラテンローラと対向した位置に図示しないサーマルヘッドが備えられている。印字媒体であるテープには、周知のように印刷データに基づくサーマルヘッドの発熱作用とプラテンローラによる搬送作用とによって文字や画像が順次形成される。【００４１】
また、図５は図４のＷ−Ｗ線における断面図から説明に不要な部分を省略した拡大断面図である。図５に示すように、基枠２と異物侵入防止部材３４とは高衝撃性変性ポリスチレンのような高剛性のプラスチック素材により一体に成形されている。また、電池収納部２９に収納した状態の乾電池２８の下周面と、それに対向する異物侵入防止部材３４の内側上面との間には、上下方向の隙間ｈが設けてある。【００４２】
また、図６は図４のＸ−Ｘ線における拡大断面図であり、かつ乾電池２８の着脱の様子を示した図である。図６に示すように、手前側（紙面下側）の乾電池２８を取外すには、凹部２９Ａに指を入れて乾電池２８の手前側（紙面下側）を掻き出すようにすることで、乾電池２８の後側（紙面上側）の側面の一部を電池収納部２９の底面に接触させながら乾電池２８の手前側（紙面下側）を電池収納部２９から脱出させる。乾電池２８がこの姿勢を取れるのは、先程図５で示したように電池収納部２９に収納した状態の乾電池２８の下周面と、それに対向する異物侵入防止部材３４の内側上面との間には、上下方向の隙間ｈが設けてあるからである。一端を電池収納部２９の外に出した乾電池２８は、そのまま下方向（紙面右方向）へ移動させることで取去ることができる。次に、後側（紙面上側）の乾電池２８を、一旦、手前側（紙面下側）の乾電池２８のあった位置へスライドさせる。その後、手前側（紙面下側）の乾電池２８と同様の手順で後側（紙面上側）の乾電池２８を取去るようにする。【００４３】
また、乾電池２８を電池収納部２９に取り付ける時は、この逆の手順を取る。図６に示すように、まず後側（紙面上側）の乾電池２８を装着することになるが、その時は、電池収納部２９の底面に乾電池２８の後側の側面の一部を当接し、乾電池２８の手前側（紙面下側）が電池収納部２９の外部に突出した状態にする。乾電池２８の後側（紙面上側）の側面と電池収納部２９の底面との接触部分を、乾電池２８を後側（紙面上側）に押し込むことで次第に後側（紙面上側）に移動させる。やがて乾電池２８の手前側（紙面下側）も電池収納部２９に収まり、乾電池２８全体が電池収納部２９に収まったことになる。この時も、電池収納部２９に収納した状態の乾電池２８の下周面と、それに対向する異物侵入防止部材３４の内側上面との間に隙間ｈが設けてあることにより、乾電池２８の手前側（紙面下側）を電池収納部２９に収納できる。その後、電池収納部２９に収まった乾電池２８を電池収納部２９の後側（紙面上側）にスライドして移動させる。次に手前側（紙面下側）の乾電池２８を装着するが、その様子は、先程後側（紙面上側）の電池を電池収納部２９の手前側（紙面下側）に収めるまでのやり方と同じである。【００４４】
本発明は、以上の実施形態の他、発明の構成を逸脱しない範囲で種々の変更を加えてもよい。【００４５】
図７は、他の実施形態に掛かる異物侵入防止部材の構成を表す図面であり、図４のＷ−Ｗ線相当における要部断面図から説明に不要な部分を省略した拡大断面図である。図５と同様、異物侵入防止部材３６は基枠２と一体に成形されているが、その材料が異なりこちらの例ではポリアセタール樹脂等の弾性を有するものでできている。また、図５に示した例とは異なり、電池収納部２９に収納した状態の乾電池２８の下周面と、それに対向する異物侵入防止部材３６の内側上面との間には、上下方向に対して隙間が設けられておらず、それらの面は接触している。【００４６】
乾電池２８の着脱に関しては、図６において先に説明した実施形態と同様、電池収納部２９の手前側（紙面下側）から行うが、この際、乾電池２８を前記実施形態と同様に電池収納部２９の外側に向かって移動させることにより、異物侵入防止部材３６をその自己保有弾力に抗して電池収納部２９の外側に向かって変形させる。それにより、乾電池２８の電池収納部２９に対する着脱が可能となっている。乾電池２８の着脱動作が終了すれば、異物侵入防止部材３６は、その弾性により元の形状に復元する。なお、この異物侵入防止部材３６は、通常の使用においては変形することはなく、乾電池２８を電池収納部内に保持するように支持している。【００４７】
図８及び図９は、さらに他の実施形態に掛かる異物侵入防止部材の構成を表す図面である。また、図８は図４に対応したものであり、下カバー３を外した状態の要部を表す下面図である。図８に示すように、異物侵入防止部材３８は、電池収納部２９の開口部の近傍にその開口部を挟んで向かい合うように設けられた一対の回転軸支持部２Ａに乾電池２８の長手方向と直交する方向に支持される回転軸３９を中心に開閉可能に設けられた蓋状部材からなる。異物侵入防止部材３８を閉じた状態で、乾電池２８の接点部及びその付近を覆う。また、閉じた状態の異物侵入防止部材３８の手前左右両側部と電池収納部２９の開口部周辺の基枠２の裏側表面とは、互いに重なり合っている。それら接触面には図示しないマグネットが備えられて異物侵入防止部材３８の閉じた状態を保持するようになっており、それによって電池収納部２９に収納されている乾電池２８の脱落を防止するようになっている。これ以前に例示した実施形態では、異物侵入防止部材は、乾電池の電気的な接点毎に１つずつ設けられていたのに対し、この例では、２箇所の端子同士の電気的接点を１つの異物侵入防止部材３８が覆っている。それにより、下カバー３の開放時に異物侵入防止部材３８によって電気的接点とその近傍が全面的に覆われるため、異物侵入防止の効果をさらに高められる。【００４８】
また、図９は、図８のＹ−Ｙ線における拡大断面図である。異物侵入防止部材３８は、閉じた状態を０度として９０度まで開くことが可能である。乾電池２８の着脱は、先の実施形態と同様、電池収納部２９の手前側（紙面下側）において行うが、異物侵入防止部材３８を開いた状態で行うことで、スムーズな着脱ができるようになっている。【００４９】
図１０及び図１１は、さらに他の実施形態に掛かる異物侵入防止部材の構成を表す図面である。また、図１０は図４に対応したものであり、下カバー３を外した状態の要部を表す下面図である。図１０に示すように、異物侵入防止部材４０は電池収納部２９の開口部の近傍であってその開口部の片側に設けられた一対の回転軸支持部２Ｂに乾電池２８の長手方向に支持される回転軸４１を中心に開閉可能に設けられた蓋状部材からなる。閉じた状態の異物侵入防止部材４０の自由端部と電池収納部２９の開口部周辺であって回転軸支持部２Ｂに向かい合う基枠２の裏側表面とは、互いに重なり合っている。それら接触面には図示しないマグネットが備えられて異物侵入防止部材４０の閉じた状態を保持するようになっており、それによって電池収納部２９に収納されている乾電池２８の脱落を防止するようになっている。また、この例でも、２箇所の端子同士の電気的接点を１つの異物侵入防止部材４０が覆うことで、下カバー３の開放時に異物侵入防止部材４０によって電気的接点とその近傍が全面的に覆われるため、異物侵入防止の効果をさらに高めている。【００５０】
また、図１１は、図１０のＺ−Ｚ線における断面図から説明に不要な部分を省略した拡大断面図である。異物侵入防止部材４０は、閉じた状態を０度として９０度まで開くことが可能である。乾電池２８の着脱は、異物侵入防止部材４０を開いた状態で行うことで、スムーズな着脱ができるようになっている。【００５１】
図１２は、さらに他の実施形態に掛かる異物侵入防止部材の構成を表したものである。図１２は図４に対応したものであり、下カバー３を外した状態の下面図である。図１２に示すように、電池収納部２９には２つの乾電池２８が直列に接続されたものが１列収められている。その２つの乾電池２８の端子同士の接点とその近傍を覆うように異物侵入防止部材４２が設けてある。その異物侵入防止部材４２は、１つ目の実施形態と同様の材料によって基枠２と一体に成形されている。また、異物侵入防止部材４２は、電池収納部２９の開口部を乾電池２８の長手方向と直交する方向に横切るように配置されている。１つ目の実施形態と同様、乾電池２８の下周面と、それと対向する異物侵入防止部材４２の内側上面との間には隙間が設けてある構造となっている。以上により異物の侵入を防いでいる。【００５２】
以上の例では、直列に接続された乾電池の列は１乃至２であったが、それに関わらず３以上の複数列あってもよい。【００５３】
異物侵入防止部材は、基枠２に対して固定されたものや、開閉可能に構成したものばかりでなく、着脱可能に構成されたものでもよい。この場合、異物侵入防止部材を、例えば、図１０に示されるような平面視長方形の平板形状とし、その長手方向の両端部と基枠２の裏側表面との接触部分に、例えば、マグネットを設けて両者を離脱可能に吸着させたり、いわゆる着脱式結合テープを設けて両者を離脱可能に接合させたりするように構成する。乾電池２８の着脱に際しては前記異物侵入防止部材を前記基枠から離脱させればよい。
【図面の簡単な説明】
【００５４】
【図１】本発明の電子機器の実施の形態に係るテープ印字装置の平面図である。
【図２】同テープ印字装置の下面図である。
【図３】図２のＶ−Ｖ線における拡大断面図である。
【図４】同テープ印字装置の下カバーを開放した時のテープ印字装置内部を示した下面図である。
【図５】図４のＷ−Ｗ線における拡大断面図から説明に不要な部分を省略した図である。
【図６】図４のＸ−Ｘ線における拡大断面図である。
【図７】本発明の電子機器の他の実施の形態に係る、説明に不要な部分を省略した要部拡大断面図である。
【図８】本発明の電子機器のさらに他の実施の形態に係り、下カバーを開放した時のテープ印字装置内部の要部を示した下面図である。
【図９】図８のＹ−Ｙ線における拡大断面図である。
【図１０】本発明の電子機器のさらに他の実施の形態に係り、下カバーを開放した時のテープ印字装置内部の要部を示した下面図である。
【図１１】図１０のＺ−Ｚ線における拡大断面図から説明に不要な部分を省略した図である。
【図１２】本発明の電子機器のさらに他の実施の形態に係り、下カバーを開放した時のテープ印字装置内部を示した下面図である。
【符号の説明】
【００５５】
１  テープ印字装置
２  基枠
３  下カバー
４  上カバー
２６  カセット想像線
２７  カセット収納部
２８  乾電池
２９  電池収納部
２９Ａ  凹部
３２、３３  リブ
３４、３６、３８、４０、４２  異物侵入防止部材
２Ａ、２Ｂ  回転軸支持部
３９、４１  回転軸
【図１】
0004548419.tif 000002
【図２】
0004548419.tif 000003
【図３】
0004548419.tif 000004
【図４】
0004548419.tif 000005
【図５】
0004548419.tif 000006
【図６】
0004548419.tif 000007
【図７】
0004548419.tif 000008
【図８】
0004548419.tif 000009
【図９】
0004548419.tif 000010
【図１０】
0004548419.tif 000011
【図１１】
0004548419.tif 000012
【図１２】
0004548419.tif 000013